(57)【要約】【課題】画像補正を手際よく行うことができるとともに、ユーザの意図に合わせた柔軟な画像補正を行うことができる画像補正装置、画像補正プログラム、データ変換装置、およびデータ変換プログラムを提供する。【解決手段】画像に対して所定の画像解析を行う画像解析部と、その画像解析部による画像解析の結果に応じた画像補正を、その画像解析の対象となった画像に施す画像補正部と、画像に対し、画像補正の内容を直接あるいは間接に規定する指定を操作に応じて行う指定部と、その指定部による指定がある画像については、画像補正部に、その指定によって規定された内容の補正を施させる処理制御部とを備える。【選択図】        図５
2006211140.tif 000002
【特許請求の範囲】
【請求項１】
画像に対して所定の画像解析を行う画像解析部と、
前記画像解析部による画像解析の結果に応じた画像補正を、その画像解析の対象となった画像に施す画像補正部と、
画像に対し、画像補正の内容を直接あるいは間接に規定する指定を操作に応じて行う指定部と、
前記指定部による指定がある画像については、前記画像補正部に、その指定によって規定された内容の補正を施させる処理制御部とを備えたことを特徴とする画像補正装置。
【請求項２】
前記指定部が、前記画像解析による解析結果に替わる解析結果の指定を操作に応じて行うものであり、
前記処理制御部が、前記指定部による指定がある画像については、前記画像補正部に、その指定による解析結果に応じた画像補正を施させるものであることを特徴とする請求項１記載の画像補正装置。
【請求項３】
前記画像解析部が、画像のシーンを推定するシーン解析を行うものであり、
前記画像補正部が、該画像に対して該シーン解析の結果に応じた画像補正を、その画像解析の対象となった画像に施すものであり、
前記指定部は、前記画像解析部によるシーン解析の結果に替わるシーンの指定を行うことによって間接的に画像補正の内容を規定する指定を行うものであることを特徴とする請求項１記載の画像補正装置。
【請求項４】
前記画像補正部が、画像に対して色に関する補正処理を施すものであり、
前記指定部は、色に関する補正処理の内容を直接的に規定する指定を行うものであることを特徴とする請求項１記載の画像補正装置。
【請求項５】
コンピュータシステムに組み込まれ、該コンピュータシステム上に、
画像に対して所定の画像解析を行う画像解析部と、
前記画像解析部による画像解析の結果に応じた画像補正を、その画像解析の対象となった画像に施す画像補正部と、
画像に対し、画像補正の内容を直接あるいは間接に規定する指定を操作に応じて行う指定部と、
前記指定部による指定がある画像については、前記画像補正部に、その指定によって規定された内容の補正を施させる処理制御部とを構築することを特徴とする画像補正プログラム。
【請求項６】
画像が配置されたページを、その画像の配置を記述することによって表した第１データを、ページを一体の画像として表す第２データに変換するデータ変換装置であって、
前記第１データによって配置が記述された各画像に対して所定の画像解析を行う画像解析部と、
前記画像解析部による画像解析の結果に応じた画像補正を、その画像解析の対象となった画像に施す画像補正部と、
前記第１データによって配置が記述された画像に対し、画像補正の内容を直接あるいは間接に規定する指定を操作に応じて行う指定部と、
前記指定部による指定がある画像については、前記画像補正部に、その指定によって規定された内容の補正を施させる処理制御部と、
前記画像補正部によって補正された画像が、前記第１データが記述した配置で配置されたページを一体の画像として表す第２データを作成するデータ作成部とを備えたことを特徴とするデータ変換装置。
【請求項７】
コンピュータシステム上で実行され、該コンピュータシステムに、
画像が配置されたページを、その画像の配置を記述することによって表した第１データを、ページを一体の画像として表す第２データに変換させるデータ変換プログラムであって、
前記第１データによって配置が記述された各画像に対して所定の画像解析を行う画像解析部と、
前記画像解析部による画像解析の結果に応じた画像補正を、その画像解析の対象となった画像に施す画像補正部と、
前記第１データによって配置が記述された画像に対し、画像補正の内容を直接あるいは間接に規定する指定を操作に応じて行う指定部と、
前記指定部による指定がある画像については、前記画像補正部に、その指定によって規定された内容の補正を施させる処理制御部と、
前記画像補正部によって補正された画像が、前記第１データが記述した配置で配置されたページを一体の画像として表す第２データとを作成するデータ作成部とを構築することを特徴とするデータ変換プログラム。
【発明の詳細な説明】
【技術分野】
【０００１】
本発明は、画像に補正処理を施す画像補正装置、画像補正プログラム、および画像が配置されたページを表したデータからページを一体の画像として表すデータに変換するデータ変換装置、データ変換プログラムに関する。
【背景技術】
【０００２】
近年、デジタルカメラを中心とする撮影装置やスキャナーを中心とする画像読取装置の技術の発展とともに、撮影したカラー画像や読み取られたカラー画像をコンピュータ内に取り込み、取り込まれたカラー画像を素材として印刷物を作成するＤＴＰ（ＤｅｓｋＴｏｐ  Ｐｕｂｌｉｓｈｉｎｇ）が広く普及している。
【０００３】
このようにコンピュータ内に取り込まれたカラー画像では、画像がより美しく見えるように、画像に対して画像補正が施されることがある。画像が数多く含まれる、ＰＤＦやＰｏｓｔＳｃｒｉｐｔ（登録商標）のデータ形式のページ記述データに対して、こうした画像補正を手際よく行うため、ページ記述データ中のそれぞれの画像の特徴を推定し、その情報をもとにそれぞれの画像に対して適切と判断される画像補正を自動的に行う、いわゆるオートセットアップ機能を備えた画像補正装置が提案されている（例えば、特許文献１参照）。
【特許文献１】特開２００４−２７４７２０号公報
【発明の開示】
【発明が解決しようとする課題】
【０００４】
しかしながら、特許文献１記載のオートセットアップ機能では、画像補正のために画像の特徴が推定される過程において誤った推定が行われ、その結果その画像に対しユーザの意図から外れた画像補正が施されることがある。このオートセットアップ機能では、このような誤った推定に基づく画像補正が行われた結果として、例えば、ページ中に複数個の画像がレイアウトされておりそのうちの１つの画像がユーザの意図に反する色に誤って補正されてしまった場合には、ユーザは、その１つの画像の色について我慢するか、あるいはこのオートセットアップ機能を用いて色補正を行うことをあきらめ、これら複数個の画像一つ一つをレタッチソフトを用いて色補正を行うかのいずれか一方を選択する必要がある。従って、特許文献１記載のオートセットアップ機能を用いた画像補正は、画像が数多く含まれるデータ形式のページ記述データに対して画像補正を手際よく行うことができるという利点があるものの、ユーザの意図に合わせた画像補正を行うという観点からは、柔軟性に欠ける画像補正となる。
【０００５】
本発明は、上記事情に鑑み、画像補正を手際よく行うことができるとともに、ユーザの意図に合わせた柔軟な画像補正を行うことができる画像補正装置、画像補正プログラム、データ変換装置、およびデータ変換プログラムを提供することを目的とする。
【課題を解決するための手段】
【０００６】
上記目的を達成するための本発明の画像補正装置は、
画像に対して所定の画像解析を行う画像解析部と、
上記画像解析部による画像解析の結果に応じた画像補正を、その画像解析の対象となった画像に施す画像補正部と、
画像に対し、画像補正の内容を直接あるいは間接に規定する指定を操作に応じて行う指定部と、
上記指定部による指定がある画像については、上記画像補正部に、その指定によって規定された内容の補正を施させる処理制御部とを備えたことを特徴とする。
【０００７】
本発明の画像補正装置は、処理対象の画像に対して画像解析の結果に応じた画像補正を施す機能に加えて、画像補正の内容を規定する指定を行いその指定に基づく画像補正を施す機能も有しているため、画像補正が施される画像が複数存在し、それらの画像のうち一つの画像に対してユーザの意図から外れた画像補正が施されたというような場合でも、その画像だけを対象に再度ユーザの本来の意図に見合った柔軟な画像補正を施すことが可能になる。
【０００８】
また、本発明の画像補正装置において、「上記指定部が、上記画像解析による解析結果に替わる解析結果の指定を操作に応じて行うものであり、
上記処理制御部が、上記指定部による指定がある画像については、上記画像補正部に、その指定による解析結果に応じた画像補正を施させるものである」という形態は、好ましい形態である。
【０００９】
このような形態により、本発明の画像補正装置では、ユーザは、解析結果の指定を行うことで、その指定された解析結果に応じた画像補正を間接的に指定することができる。
【００１０】
また、本発明の画像補正装置において、「上記画像解析部が、画像のシーンを推定するシーン解析を行うものであり、
上記画像補正部が、該画像に対して該シーン解析の結果に応じた画像補正を、その画像解析の対象となった画像に施すものであり、
上記指定部は、上記画像解析部による該シーン解析の結果に替わるシーンの指定を行うことによって、間接的に、上記画像補正部が該画像に施す補正処理の内容を規定する指定を行うものである」という形態も、好ましい形態である。
【００１１】
一般に、シーン解析においては、シーンが正しく推定される場合、シーンが誤って推定される場合、シーン解析の結果から得られる情報だけではシーンの推定ができない場合の３種類の場合が起こり得る。シーン解析の特徴として、シーンを特定するための条件を緩くして、シーンの推定ができない場合が生じることを減少させると、画像のシーンを正しく推定する可能性が増加するものの、それとともに誤ったシーンの推定が起こりやすくなることが知られている。
【００１２】
本発明の画像補正装置は、画像に対してシーンの指定を行うことを通じて、間接的に、その指定されたシーンの解析結果に応じた画像補正を指定できるため、誤ったシーンの推定がなされた画像に対して、ユーザの本来の意図に見合った画像補正を施すことができる。また、シーン解析においては、誤ったシーンの推定がなされてユーザの本来の意図から外れた画像補正が行われた場合、画像補正に関する知識が少ないユーザでも誤った画像補正がなされたことは容易に認識できる。このため、画像補正に関する知識が少ないユーザでも、誤ったシーンの推定がなされた画像だけを選別し、本発明の画像補正装置を用いて本来の意図に見合った画像補正を施すことができる。
【００１３】
また、本発明の画像補正装置において、「上記画像補正部が、画像に対して色に関する補正処理を施すものであり、
上記指定部は、上記画像補正部が該画像に施す色に関する補正処理の内容を、直接的に規定する指定を操作に応じて行うものである」という形態も、好ましい形態である。
【００１４】
このような形態により、本発明の画像補正装置は、処理対象の画像に対して、ユーザの本来の意図に見合うような色に変更するための補正処理を行うことができる。
【００１５】
上記目的を達成するための本発明の画像補正プログラムは、コンピュータシステムに組み込まれ、そのコンピュータシステム上に、
画像に対して所定の画像解析を行う画像解析部と、
上記画像解析部による画像解析の結果に応じた画像補正を、その画像解析の対象となった画像に施す画像補正部と、
画像に対し、画像補正の内容を直接あるいは間接に規定する指定を操作に応じて行う指定部と、
上記指定部による指定がある画像については、上記画像補正部に、その指定によって規定された内容の補正を施させる処理制御部とを構築することを特徴とする。
【００１６】
この本発明の画像補正プログラムをコンピュータシステム内で実行することによって、本発明の画像補正装置を容易に実現することができる。
【００１７】
なお、本発明にいう画像補正プログラムについては、ここではその基本形態のみを示すにとどめるが、これは単に重複を避けるためであり、本発明にいう画像補正プログラムには、上記の基本形態のみでなく、前述した画像補正装置の各形態に対応する各種の形態が含まれる。
【００１８】
さらに、本発明の画像補正プログラムがコンピュータシステム上に構築する画像解析部などといった要素は、１つの要素が１つのプログラム部品によって構築されるものであってもよく、１つの要素が複数のプログラム部品によって構築されるものであってもよく、複数の要素が１つのプログラム部品によって構築されるものであってもよい。また、これらの要素は、そのような作用を自分自身で実行するものとして構築されていてもよく、あるいは、コンピュータシステムに組み込まれている他のプログラムやプログラム部品に指示を与えて実行するものとして構築されていてもよい。
【００１９】
上記目的を達成するための本発明のデータ変換装置は、
画像が配置されたページを、その画像の配置を記述することによって表した第１データを、ページを一体の画像として表す第２データに変換するデータ変換装置であって、
上記第１データによって配置が記述された各画像に対して所定の画像解析を行う画像解析部と、
上記画像解析部による画像解析の結果に応じた画像補正を、その画像解析の対象となった画像に施す画像補正部と、
上記第１データによって配置が記述された画像に対し、画像補正の内容を直接あるいは間接に規定する指定を操作に応じて行う指定部と、
上記指定部による指定がある画像については、上記画像補正部に、その指定によって規定された内容の補正を施させる処理制御部と、
上記画像補正部によって補正された画像が、上記第１データが記述した配置で配置されたページを一体の画像として表す第２データを作成するデータ作成部を備えたことを特徴とする。
【００２０】
本発明のデータ変換装置は、処理対象の第１データにより表される画像に対し画像解析の結果に応じた画像補正を施す機能に加えて、画像補正の内容を規定する指定を行い、その指定に基づく画像補正を施す機能も有しているため、画像補正が施される画像が複数存在し、それらの画像のうち一つの画像に対してユーザの意図から外れた画像補正が施された場合でも、その画像だけを対象に再度ユーザの本来の意図に見合う画像補正を施すことができる。
【００２１】
上記目的を達成するための本発明の画像補正プログラムは、コンピュータシステム上で実行され、そのコンピュータシステムに、
画像が配置されたページを、その画像の配置を記述することによって表した第１データを、ページを一体の画像として表す第２データに変換させるデータ変換プログラムであって、
上記第１データによって配置が記述された各画像に対して所定の画像解析を行う画像解析部と、
上記画像解析部による画像解析の結果に応じた画像補正を、その画像解析の対象となった画像に施す画像補正部と、
上記第１データによって配置が記述された画像に対し、画像補正の内容を直接あるいは間接に規定する指定を操作に応じて行う指定部と、
上記指定部による指定がある画像については、上記画像補正部に、その指定によって規定された内容の補正を施させる処理制御部と、
上記画像補正部によって補正された画像が、上記第１データが記述した配置で配置されたページを一体の画像として表す第２データとを作成するデータ作成部とを構築することを特徴とする。
【００２２】
この本発明のデータ変換プログラムをコンピュータシステム内で実行することによって、本発明のデータ変換装置を容易に実現することができる。
【００２３】
なお、本発明にいうデータ変換プログラムについては、ここではその基本形態のみを示すにとどめるが、これは単に重複を避けるためであり、本発明にいうデータ変換プログラムには、上記の基本形態のみでなく、前述したデータ変換装置の各形態に対応する各種の形態が含まれる。
【００２４】
さらに、本発明のデータ変換プログラムがコンピュータシステム上に構築する画像解析部などといった要素は、１つの要素が１つのプログラム部品によって構築されるものであってもよく、１つの要素が複数のプログラム部品によって構築されるものであってもよく、複数の要素が１つのプログラム部品によって構築されるものであってもよい。また、これらの要素は、そのような作用を自分自身で実行するものとして構築されていてもよく、あるいは、コンピュータシステムに組み込まれている他のプログラムやプログラム部品に指示を与えて実行するものとして構築されていてもよい。
【発明の効果】
【００２５】
本発明の画像補正装置、画像補正プログラム、データ変換装置、およびデータ変換プログラムによれば、画像補正を手際よく行うことができるとともに、ユーザの意図に合わせた柔軟な画像補正を行うことができる。
【発明を実施するための最良の形態】
【００２６】
以下、本発明の実施形態について説明する。
【００２７】
図１は、本発明のデータ変換装置の一実施形態が適用された画像処理システムの全体構成図である。
この画像処理システムは、コンピュータを使って印刷物を作成するＤＴＰが適用されたシステムであり、オペレータがパーソナルコンピュータ１００を使って編集した文字や画像を含むページをカラープリンタ２１７０で出力するシステムである。パーソナルコンピュータ１００には、カラースキャナ（図示しない）で原稿画像が読み取られて生成された画像データや、デジタルカメラ（図示しない）で撮影された撮影画像に基づく画像データなど画ページ編集の素材として入力される。パーソナルコンピュータ１００では、オペレータが文字や入力された画像データに基づく画像を含むページを電子的に編集することにより、編集されたページを表すページ記述データが生成され、さらに、このように編集されたページ中のカラーの画像に対して、画像がより美しく見えるようするために必要な画像補正の設定が行われる。このページ記述データは、いわゆるＰＤＬ（Ｐａｇｅ  Ｄｅｓｃｒｉｐｔｉｏｎ  Ｌａｎｇｕａｇｅ）で記述された言語データであり、このままでは、カラープリンタ２１７０で出力することはできない。したがって、このページ記述データはＲＩＰ１０１に入力され、ＲＩＰ１０１において、前述の画像補正の設定に基づいた画像補正が施された後、カラープリンタ２１７０で出力可能なラスターデータに変換される。変換後のラスターデータは、カラープリンタ２１７０に入力され、カラープリンタ２１７０では、その入力されたラスターデータに基づく出力画像２１０が作成される。
【００２８】
このように、このパーソナルコンピュータ１００は、文字や画像を含むページの編集やカラープリンタ２１７０の制御に加えて、画像補正の設定、設定された画像補正の実行、ページ記述データからカラープリンタ２１７０で出力可能なラスターデータへのデータ変換処理も行い、図１に示す画像処理システムにおいて中心的な役割を果たす。この画像処理システムにおける、本発明の一実施形態としての特徴は、このパーソナルコンピュータ１００で実行される画像補正処理およびデータ変換処理の内容にあり、このパーソナルコンピュータ１００が、本発明のデータ変換装置の一実施形態として動作するとともに、本発明の画像補正装置の一実施形態としても動作する。以下では、このパーソナルコンピュータ１００において画像補正処理およびデータ変換処理の中枢を担うＲＩＰ１０を中心に、このパーソナルコンピュータ１００について説明する。
【００２９】
図２は、本発明のデータ変換装置の一実施形態として動作するパーソナルコンピュータの外観斜視図、図３は、そのハードウェア構成図である。
【００３０】
このパーソナルコンピュータ１００は、後述するＣＰＵ、ＲＡＭメモリ、ハードディスク等を内蔵した本体部１１０、本体部１１０からの指示により表示画面１２１に画面表示を行なう画像表示装置１２０、このパーソナルコンピュータ１００内にユーザの指示や文字情報を入力するためのキーボード１３０、表示画面１２１上の任意の位置を指定することによりその位置に応じた指示を入力するマウス１４０を備えている。
【００３１】
本体部１１０は、さらにフレキシブルディスク（以下ＦＤと略す）が装填されるＦＤ装填口１１１、ＣＤ−ＲＯＭが装填されるＣＤ−ＲＯＭ装填口１１２を有しており、その内部には、装填されたＦＤやＣＤ−ＲＯＭをドライブする、後述するＦＤドライブ、ＣＤ−ＲＯＭドライブも内蔵されている。
【００３２】
本体部１１０の内部には、図３に示すように、各種プログラムを実行するＣＰＵ２１１、ハードディスク装置２１３に格納されたプログラムが読み出されＣＰＵ２１１での実行のために展開される主メモリ２１２、各種プログラムやデータ等が保存されたハードディスク装置２１３、ＦＤ２１４０が装填され、その装填されたＦＤ２１４０にアクセスするＦＤドライブ２１４、ＣＤ−ＲＯＭ２１５０が装填され、その装填されたＣＤ−ＲＯＭ２１５０にアクセスするＣＤ−ＲＯＭドライブ２１５が内蔵されている。これらの各種要素と、さらに、図２にも示す画像表示装置１２０、キーボード１３０、マウス１４０は、バス１２００を介して相互に接続されている。また、パーソナルコンピュータ１００の外部には、画像を出力するためのカラープリンタ２１７０が備えられており、それぞれに向けてパーソナルコンピュータ１００から出力データを送るために、パーソナルコンピュータ１００には出力インタフェース２１７が内蔵されている。また、不図示のスキャナーやデジタルカメラなどの外部機器と接続してページ記述データを入力するために、パーソナルコンピュータ１００には入力インタフェース２１６が内蔵されている。これら出力インタフェース２１７および入力インタフェース２１６も、パーソナルコンピュータ１００内部のハードウェアを構成する上述の各種要素と、バス１２００を介して相互に接続されている。
【００３３】
このパーソナルコンピュータ１００では、パーソナルコンピュータ１００のユーザは、ページ記述データを、入力インタフェース２１６から入力してハードディスク装置２１３に保存することができ、またページ記述データが記録されているＦＤ２１４０やＣＤ−ＲＯＭ２１５０から、それぞれＦＤドライブ２１４、ＣＤ−ＲＯＭドライブ２１５を介してハードディスク装置２１３に保存することもできる。本実施形態では、処理対象となるページ記述データは、ハードディスク装置２１３に保存されたページ記述データであるが、ハードディスク装置２１３に限定せず、ＦＤドライブ２１４、ＣＤ−ＲＯＭドライブ２１５にそれぞれ装填されたＦＤ２１４０やＣＤ−ＲＯＭ２１５０に保存されたページ記述データであってもよい。
【００３４】
次に本発明のデータ変換プログラムの一実施形態について説明する。
【００３５】
本発明のデータ変換プログラムの一実施形態が、例えばＣＤ−ＲＯＭ２１５０に記憶されている場合には、このＣＤ−ＲＯＭ２１５０がＣＤ−ＲＯＭ装填口１１２から本体１１０内に装填されると、そのＣＤ−ＲＯＭ２１５０に記憶されたデータ変換プログラムがＣＤ−ＲＯＭドライブ２１５によりこのパーソナルコンピュータ１００のハードディスク装置２１３内にインストールされる。そして、このハードディスク装置２１３内にインストールされたデータ変換プログラムが起動されると、このパーソナルコンピュータ１００は、本発明のデータ変換装置の一実施形態として動作する。
【００３６】
図４は、本発明のデータ変換プログラムの一実施形態を示す図である。
【００３７】
ここでは、このデータ変換プログラム９００は、ＣＤ−ＲＯＭ２１５０に記憶されている。なお、本発明にいうデータ変換プログラム７００が記憶される記憶媒体としては、図４に示すＣＤ−ＲＯＭ２１５０のみならず、図３に示すハードディスク装置２１３やＦＤ２１５０、図３には不図示のＤＶＤやＭＯ等といった種々の記憶媒体が採用されうる。
【００３８】
このデータ変換プログラム９００は、図２および図３に示すパーソナルコンピュータ１００内で実行され、上述したように、そのパーソナルコンピュータ１００を本発明の一実施形態として動作させるものであり、画像認識部７１０、指定部７２０、処理分岐部７３０、画像解析部７４０、色補正部７５０、画像変換部７６０、文字変換部７７０、画像合成部７７５、および画像展開部７８０を有している。
【００３９】
このデータ変換プログラム７００の各要素の詳細な内容については後述する。
【００４０】
図５は、図２および図３に示すパーソナルコンピュータを本発明のデータ変換装置の一実施形態として動作させるためにこのパーソナルコンピュータ上に構築される要素と、それらの要素による作用の概略を表す図である。
【００４１】
図４に示すデータ変換プログラム７００が図２および図３に示すパーソナルコンピュータ１００にインストールされると、図５に示す画像認識部６１０、指定部６２０、処理分岐部６３０、画像解析部６４０、色補正部６５０、画像変換部６６０、文字変換部６７０、画像合成部６７５、および画像展開部６８０の各要素がパーソナルコンピュータ１００上に構築される。これらの要素が、ページ記述データを出力用のラスターデータに変換するＲＩＰ１０１を形成し、パーソナルコンピュータ１００を本発明のデータ変換装置の一実施形態として動作させる。これら画像認識部６１０、指定部６２０、処理分岐部６３０、画像解析部６４０、色補正部６５０、画像変換部６６０、文字変換部６７０、画像合成部６７５、および画像展開部６８０は、図４に示すデータ変換プログラム７００における、画像認識部７１０、指定部７２０、処理分岐部７３０、画像解析部７４０、色補正部７５０、画像変換部７６０、文字変換部７７０、画像合成部７７５、および画像展開部７８０それぞれによってパーソナルコンピュータ１００上に構築されるものである。従って図４の各要素は図５の各要素に対応するが、この図５の各要素は、図２および図３に示すパーソナルコンピュータ１００のハードウェアとそのパーソナルコンピュータ１００で実行されるＯＳやアプリケーションプログラムとの組合せで構成されているのに対し、図４に示すデータ変換プログラム７００の各要素はそれらのうちのアプリケーションプログラムのみにより構成されている点が異なる。
【００４２】
以上説明したデータ変換プログラム７００から、画像展開部７８０を除いたプログラムが、本発明の画像変換プログラムの一実施形態であり、また、本実施形態のデータ変換装置において、以上説明した要素から画像展開部６８０を除いた要素によって構成される装置が、本発明の画像変換装置の一実施形態であり、本実施形態では、本発明のデータ変換装置の一実施形態として動作するパーソナルコンピュータ１００が、本発明の画像変換装置の一実施形態としても動作する。
【００４３】
ここで、本実施形態においては、画像解析部６４０が本発明にいう画像解析部の一例に相当し、色補正部６５０が本発明にいう画像補正部の一例に相当し、指定部６２０が本発明にいう指定部の一例に相当する。また、処理分岐部６３０が、本発明にいう処理制御部の一例に相当し、画像展開部６８０が本発明にいうデータ作成部の一例に相当する。
【００４４】
以下では、図５に示す各要素による作用について説明する。
【００４５】
ハードディスク装置２１３内に保存されている、ＰｏｓｔＳｃｒｉｐｔ（登録商標）やＰＤＦのデータ形式のページ記述データのうち、ＰｏｓｔＳｃｒｉｐｔ（登録商標）のデータ形式のページ記述データは、ＰＤＦ変換部６９０によってＰＤＦのデータ形式のページ記述データに変換され、処理の対象となるページ記述データはこの段階でＰＤＦのデータ形式のページ記述データに統一されて、保存部６９５によりハードディスク装置２１３内に保存される。このようにＰＤＦのデータ形式になったページ記述データで表されるページ中の文字オブジェクトおよび画像オブジェクトに対し、図５に示す各要素の作用により、画像オブジェクトに応じた色補正処理が行われる。
【００４６】
最初に、ページ中のどの画像オブジェクトに対しても色補正処理の内容がユーザから指定されていないページ記述データに対して、図５に示す各要素が行う作用について説明する。
【００４７】
まず、ページ中のオブジェクトが画像オブジェクトであるか否かが画像認識部６１０によって判定され、オブジェクトに応じた処理が開始される。オブジェクトが文字オブジェクトの場合、文字変換部６７０に送られ、図３に示すカラープリンタ２１７０に合った色空間の文字用データで表現される文字オブジェクトに変換された後、さらに画像合成部６７５に送られる。一方、ページ中のオブジェクトが画像オブジェクトの場合、処理分岐部６３０に送られ、ページ中の処理の内容が指定されていない無指定画像とみなされて、さらに画像解析部６４０に送られる。この画像解析部６４０において、この画像オブジェクトについてシーンの推定、およびこの画像オブジェクトの色の特性の解析が行われて、色補正部６５０においてその推定されたシーンに合わせた色補正が行われる。このような色補正処理が施された後、画像変換部６６０において、図３に示すカラープリンタ２１７０に合った色空間の画像用データで表現される画像オブジェクトに変換される。変換された画像オブジェクトは、画像合成部６７５に送られ、画像合成部６７５は、前述の文字オブジェクと画像オブジェクトとを合成し、それらのオブジェクトを含むページを表すページ記述データを生成する。
【００４８】
以上説明したような、推定されたシーンに基づく色補正処理が、いわゆるオートセットアップ機能による色補正処理である。このような色補正処理では、画像オブジェクトのシーンが推定される過程において誤った推定が行われ、その結果その画像オブジェクトに対しユーザの意図から外れた色補正が施されることがある。このため、生成されたページ記述データによって表されるページ中の画像が、ユーザの本来の意図に見合った色合いの画像に色補正されているかどうかの確認が必要であり、本実施形態では、この確認作業は、この色補正後の画像が図２に示すパーソナルコンピュータ１００の表示画面１２１上に表示され、ユーザの本来の意図に見合った色合いの画像に色補正されているかどうかが、ユーザによりチェックされることによって行われる。
【００４９】
次に、このような確認作業の結果、ユーザの本来の意図から外れた色補正が行われてしまうことが判明したページ記述データに対して、ユーザの意図に見合った色補正を行うために、ユーザによる指示を受けて図５に示す指定部６２０の行う作用について説明する。
【００５０】
まず、保存部６９５により保存されたＰＤＦのページ記述データのうち、前述のオートセットアップ機能ではユーザの意図から外れることが判明したページ記述データが、ユーザにより選択される。そして、そのページ記述データによって表されるページが、図２に示すパーソナルコンピュータ１００の表示画面１２１上に表示されて、ユーザによる色補正の内容の指示やシーンの指示が開始される。
【００５１】
図６は、ユーザにより、色補正の内容の指示やシーンの指示が行われる際に、図２に示すパーソナルコンピュータの表示画面に表示されるメニューを表す説明図である。
【００５２】
図６には、前述のオートセットアップ機能による色補正処理ではユーザの意図から外れた色補正が施されることが判明した画像の例として、「ひまわり」を表すカラー画像２１０ａ、および「トノサマガエル」を表すカラー画像２１０ｂが、ＰＤＦのページ記述データで表されたページを表示するウィンドウ３００の中に示されている。以下では、この例を用いて、ユーザにより行われる、色補正の内容の指示やシーンの指示について説明する。
【００５３】
ウィンドウ３００内の画像中で右クリックするとメニュー３０２が表示画面１２１上に現れる。このメニュー３０２では、所望の色補正を指定するため「色」を選択するか、あるいは画像に適したシーンを指定するため「シーン」を選択するかの２種類の選択肢が存在する。図６では、左側のカラー画像２１０ａ中で右クリックされたときの例と、右側のカラー画像２１０ｂ中で右クリックされたときの例が、各吹き出し３０１，３０４で示されている。図６においては、メニュー３０２と右クリックが行われたカラー画像との関係を明示するために吹き出し３０１，３０４が便宜上示されているが、実際には、表示画面１２１上にこのような吹き出し３０１，３０４は表示されない。左側の吹き出し３０１中のメニュー３０２では、図において斜線で示すように、上述した２種類の選択肢のうち、「色」が選択された状態が示されており、右側の吹き出し３０４中のメニュー３０２では、図において斜線で示すように「シーン」が選択された状態が示されている。
【００５４】
色補正を指定することが選択された状態では、左側の吹き出し３０１中に示されているように、色補正として選択可能なメニュー３０３が表示され、この例では、図において斜線で示す「緑強調」が選択された状態にあることが示されている。ここで、マウス１４０を左クリックすることによって、色補正の選択（この例では「緑強調」）が決定され、ユーザの指示する色補正の内容が確定する。
【００５５】
また、シーンを指定することが選択された状態では、右側の吹き出し３０４中に示すように、シーンとして選択可能なメニュー３０６が表示され、この例では斜線で示す「人物・動物」が選択されている状態が示されている。ここで、マウス１４０を左クリックすることによって、シーンの選択（この例では「人物・動物」）が決定され、ユーザの指示するシーンが確定する。
【００５６】
このようにしてユーザによって与えられた指示に基づき、図５に示す指定部６２０は、指示が与えられた画像に対して、色補正の内容、あるいはシーンを指定する付加情報の埋め込みを行う。例えば、図６に示す「ひまわり」を表すカラー画像２１０ａに対しては、
「緑強調」の色補正を指定する付加情報の埋め込みが行われ、、図６に示す「トノサマガエル」を表すカラー画像２１０ｂに対しては、「人物・動物」を対象物とするシーンを指定する付加情報の埋め込みが行われる。
【００５７】
続いて、このように指定部６２０により、ページ中のいくつかの画像に対して色補正やシーンを指定する付加情報の埋め込みが行われたページ記述データに対して、図５に示す各要素が、指定された色補正の内容、あるいは指定されたシーンに応じて行う処理について、フローチャートを用いて説明する。
【００５８】
図７は、ページ中のいくつかの画像に、色補正の内容やシーンの指定が行われたページ記述データに対して施される処理のフローチャートを表す図である。
【００５９】
まず、ステップＳ１において、ページ中のオブジェクトが画像オブジェクトであるか否かが図５に示す画像認識部６１０によって判定される。オブジェクトが文字オブジェクトの場合（ステップＳ１；Ｎｏ）、文字変換部６７０によって、図３に示すカラープリンタ２１７０に合った色空間の文字用データで表現される文字オブジェクトに変換されて（ステップＳ２）、画像オブジェクトとの合成のために画像合成部６７５に送られる。一方、画像認識部６１０によってページ中のオブジェクトが画像オブジェクトとして認識された場合は（ステップＳ１；Ｙｅｓ）、続いてその画像オブジェクトについて、色補正の内容やシーンを指定する付加情報が埋め込まれた指定画像であるか否かが処理分岐部６３０によって判定される（ステップＳ３）。指定画像でない場合、画像解析部６４０においてこの画像オブジェクトについてシーンの推定が行われ（ステップＳ４）、さらにこの画像オブジェクトの色の特性の解析が行われて、色補正部６５０により推定されたシーンに合わせた色補正が設定される（ステップＳ５）。そして色補正部６５０においてその設定された色補正が行われる（ステップＳ６）。指定画像の場合は、さらにこの指定画像が、付加情報の中で画像のシーンがすでに指定されている指定画像であるか否かが、処理分岐部６３０によって判定される（ステップＳ７）。画像のシーンがすでに指定されている指定画像の場合（ステップＳ７；Ｙｅｓ）は、画像解析部６４０において、その指定されたシーンが画像のシーンとして設定され（ステップＳ８）、この指定画像の色の特性の解析が行われて、指定されたシーンに合わせた色補正が色補正部６５０により設定される（ステップＳ５）。そして、この色補正部６５０において、その指定されたシ−ンにふさわしい色合いの画像になるように設定された色補正が施される（ステップＳ６）。一方、色補正の内容が指定されている指定画像の場合（ステップＳ７；Ｎｏ）は、処理分岐部６３０から色補正部６５０へと直接送られ、色補正部６５０によってその指定された色補正の内容が設定され（ステップＳ９）、その指定された色補正が施される（ステップＳ６）。このようにして色補正処理が施された画像オブジェクトは、画像変換部６６０において、図３に示すカラープリンタ２１７０に合った色空間の画像用データで表現される画像オブジェクトに変換され（ステップＳ１０）、その変換された画像オブジェクトは画像合成部６７５に送られる。画像合成部６７５はその画像オブジェクトと前述の文字オブジェクトを合成し（ステップＳ１１）、それらのオブジェクトを含むページを表すページ記述データを生成する。そして、この画像合成部６７５によって生成されたページ記述データが画像展開部６８０に送られ、この画像展開部６８０はこのページ記述データをラスターデータに変換する（ステップＳ１２）。そして、変換されたラスターデータは、図２に示す出力インタフェース２１７を経由して図３のカラープリンタ２１７０に送られ、カラープリンタ２１７０によって、図１に例として示すカラー画像２１０のような出力画像が作成される。
【００６０】
以上が、ページ中のいくつかの画像に対して色補正やシーンを指定する付加情報の埋め込みが行われたページ記述データに対して、図５に示す各要素が行う処理の説明である。
【００６１】
このように、本実施形態のデータ変換装置として動作するコンピュータ１００では、オートセットアップ機能による色補正処理ではユーザの意図から外れた色補正が施される画像オブジェクトに対しては、ユーザの意図に合った色補正処理が施され、それ以外の画像オブジェクトに対しては、オートセットアップ機能による色補正処理が施される。その結果、オートセットアップ機能の利点を生かしながら、しかもユーザの意図に合った、柔軟な色補正処理が可能になる。
【図面の簡単な説明】
【００６２】
【図１】本発明のデータ変換装置の一実施形態が適用された画像処理システムの全体構成図である。
【図２】本発明のデータ変換装置の一実施形態として動作するパーソナルコンピュータの外観斜視図である。
【図３】図２に外観斜視図を示すパーソナルコンピュータのハードウェア構成図である。
【図４】本発明のデータ変換プログラムの一実施形態を示す図である。
【図５】図２および図３に示すパーソナルコンピュータを本発明のデータ変換装置の一実施形態として動作させるためにこのパーソナルコンピュータ上に構築される要素と、それらの要素による作用の概略を表す図である。
【図６】ユーザにより、色補正の内容の指示やシーンの指示が行われる際に、図２に示すパーソナルコンピュータの表示画面に表示されるメニューを表す説明図である。
【図７】ページ中のいくつかの画像に、色補正の内容やシーンの指定が行われたページ記述データに対して施される処理のフローチャートを表す図である。
【符号の説明】
【００６３】
１００  パーソナルコンピュータ
１０１  ＲＩＰ
１０２  画像補正装置
１１０  本体部
１１１  ＦＤ装填口
１１２  ＣＤ−ＲＯＭ装填口
１２０  画像表示装置
１２１  表示画面
１３０  キーボード
１４０  マウス
１２００  バス
２１０  カラー画像
２１０ａ  カラー画像
２１０ｂ  カラー画像
２１１  ＣＰＵ
２１２  主メモリ
２１３  ハードディスク装置
２１４  ＦＤドライブ
２１４０  ＦＤ
２１５  ＣＤ−ＲＯＭドライブ
２１５０  ＣＤ−ＲＯＭ
２１６  入力インタフェース
２１７  出力インタフェース
２１７０  カラープリンタ
３００  ウィンドウ
３０１  吹き出し
３０２  メニュー
３０３  メニュー
３０４  吹き出し
３０５  メニュー
３０６  メニュー
６１０  画像認識部
６２０  指定部
６３０  処理分岐部
６４０  画像解析部
６５０  色補正部
６６０  画像変換部
６７０  文字変換部
６７５  画像合成部
６８０  画像展開部
６９０  ＰＤＦ変換部
６９５  保存部
７００  データ変換プログラム
７１０  画像認識部
７２０  指定部
７３０  処理分岐部
７４０  画像解析部
７５０  色補正部
７６０  画像変換部
７７０  文字変換部
７７５  画像合成部
７８０  画像展開部
【図１】
2006211140.tif 000003
【図２】
2006211140.tif 000004
【図３】
2006211140.tif 000005
【図４】
2006211140.tif 000006
【図５】
2006211140.tif 000007
【図６】
2006211140.tif 000008
【図７】
2006211140.tif 000009